(57)【要約】【課題】  宅内機器を同一機種の宅内機器に取り替える場合に、宅内機器を連動制御するための連動対応情報の再設定作業を簡略化できる連動システムを提供する。【解決手段】  連動装置２の制御部２ｄは、追加されたネットワーク端末１ｎの機器情報が削除されたネットワーク端末１ｎの機器情報と同一であれば、連動対応記憶部２ｃの連動テーブルにおいて、削除されたネットワーク端末１ｎのＭＡＣアドレスを追加されたネットワーク端末１ｎのＭＡＣアドレスに変更し、追加されたネットワーク端末１ｎの機器情報が削除されたネットワーク端末１ｎの機器情報と同一でなければ、削除されたネットワーク端末１ｎに関する連動テーブル内の連動対応情報を無効とし、ネットワーク端末１ｎからトリガ信号を受信したとき、連動テーブルを参照して、当該トリガ信号の送信元に関連付けられた制御対象のネットワーク端末１ｎを連動制御する。【選択図】図１
2009282779.tif 000002
【特許請求の範囲】
【請求項１】
複数の宅内機器と、各宅内機器がネットワークを介して接続されて各宅内機器の連動制御を行う連動手段とを宅内に備え、
宅内機器は、当該宅内機器を一意に識別するために固有に割り付けられた機器固有識別子と、当該宅内機器に任意に割り付けられた機器情報とを各々具備しており、
連動手段は、連動制御のトリガ信号の送信元となる宅内機器の機器固有識別子、連動制御の対象となる宅内機器の機器固有識別子、連動制御の内容を互いに関連付けた連動対応情報を格納した連動対応記憶手段と、ネットワークを介してトリガ信号を受信したとき、連動対応情報を参照して、当該トリガ信号の送信元の宅内機器に関連付けられた制御対象の宅内機器を、関連付けられた制御内容で制御する制御手段と、各宅内機器から機器固有識別子および機器情報を収集する情報収集手段と、当該収集結果に基づいて宅内機器の追加および削除を検出する機器検出手段とを備え、制御手段は、追加された宅内機器の機器情報が削除された宅内機器の機器情報と同一であれば、連動対応記憶手段の連動対応情報において、削除された宅内機器の機器固有識別子を追加された宅内機器の機器固有識別子に変更し、追加された宅内機器の機器情報が削除された宅内機器の機器情報と同一でなければ、削除された宅内機器に関する連動対応情報を無効とする
ことを特徴とする連動システム。
【請求項２】
前記宅内機器に任意に割り付けられた機器情報は、ＩＰアドレスであることを特徴とする請求項１記載の連動システム。
【請求項３】
前記宅内機器に任意に割り付けられた機器情報は、当該宅内機器に対応付けられた場所情報であることを特徴とする請求項１記載の連動システム。
【請求項４】
前記宅内機器に任意に割り付けられた機器情報は、当該宅内機器の名称情報であることを特徴とする請求項１記載の連動システム。
【請求項５】
前記宅内機器に任意に割り付けられた機器情報は、当該宅内機器が管理する端末の情報であることを特徴とする請求項１記載の連動システム。
【発明の詳細な説明】
【技術分野】
【０００１】
本発明は、連動システムに関するものである。
【背景技術】
【０００２】
従来、機器情報を具備する複数の宅内機器と、各宅内機器がネットワークを介して接続して各宅内機器の連動制御を行う連動装置とを宅内に備えた連動システムがある。各宅内機器は、当該宅内機器を一意に識別するために固有に割り付けられた機器固有識別子を具備しており、連動装置は、この機器固有識別子に基づいて各宅内機器を認識し、各宅内機器を連動制御するための連動対応情報が機器固有識別子を元に作成されている（例えば、特許文献１参照）。
【特許文献１】特開２００５−１０２１５６号公報
【発明の開示】
【発明が解決しようとする課題】
【０００３】
宅内機器を一意に識別するために固有に割り付けられた機器固有識別子にはＭＡＣアドレス等があり、同一機種の宅内機器であっても機器固有識別子は互いに異なる。したがって、ある宅内機器を同一機種の宅内機器に取り替える場合にも、機器固有識別子が変わってしまうため、機器固有識別子を元に作成されている連動対応情報をユーザが再設定する必要があった。
【０００４】
本発明は、上記事由に鑑みてなされたものであり、その目的は、宅内機器を同一機種の宅内機器に取り替える場合に、宅内機器を連動制御するための連動対応情報の再設定作業を簡略化できる連動システムを提供することにある。
【課題を解決するための手段】
【０００５】
請求項１の発明は、複数の宅内機器と、各宅内機器がネットワークを介して接続されて各宅内機器の連動制御を行う連動手段とを宅内に備え、宅内機器は、当該宅内機器を一意に識別するために固有に割り付けられた機器固有識別子と、当該宅内機器に任意に割り付けられた機器情報とを各々具備しており、連動手段は、連動制御のトリガ信号の送信元となる宅内機器の機器固有識別子、連動制御の対象となる宅内機器の機器固有識別子、連動制御の内容を互いに関連付けた連動対応情報を格納した連動対応記憶手段と、ネットワークを介してトリガ信号を受信したとき、連動対応情報を参照して、当該トリガ信号の送信元の宅内機器に関連付けられた制御対象の宅内機器を、関連付けられた制御内容で制御する制御手段と、各宅内機器から機器固有識別子および機器情報を収集する情報収集手段と、当該収集結果に基づいて宅内機器の追加および削除を検出する機器検出手段とを備え、制御手段は、追加された宅内機器の機器情報が削除された宅内機器の機器情報と同一であれば、連動対応記憶手段の連動対応情報において、削除された宅内機器の機器固有識別子を追加された宅内機器の機器固有識別子に変更し、追加された宅内機器の機器情報が削除された宅内機器の機器情報と同一でなければ、削除された宅内機器に関する連動対応情報を無効とすることを特徴とする。
【０００６】
この発明によれば、取り替える宅内機器同士の各機器情報が同一であれば、ユーザが連動対応情報を再設定する必要はなく、宅内機器を同一機種の宅内機器に取り替える場合に、宅内機器を連動制御するための連動対応情報の再設定作業を簡略化できる。
【０００７】
請求項２の発明は、請求項１において、前記宅内機器に任意に割り付けられた機器情報は、ＩＰアドレスであることを特徴とする。
【０００８】
この発明によれば、取り替える宅内機器同士の各ＩＰアドレスが同一であれば、ユーザが連動対応情報を再設定する必要はなく、宅内機器を同一機種の宅内機器に取り替える場合に、宅内機器を連動制御するための連動対応情報の再設定作業を簡略化できる。
【０００９】
請求項３の発明は、請求項１において、前記宅内機器に任意に割り付けられた機器情報は、当該宅内機器に対応付けられた場所情報であることを特徴とする。
【００１０】
この発明によれば、取り替える宅内機器同士の各場所情報が同一であれば、ユーザが連動対応情報を再設定する必要はなく、宅内機器を同一機種の宅内機器に取り替える場合に、宅内機器を連動制御するための連動対応情報の再設定作業を簡略化できる。
【００１１】
請求項４の発明は、請求項１において、前記宅内機器に任意に割り付けられた機器情報は、当該宅内機器の名称情報であることを特徴とする。
【００１２】
この発明によれば、取り替える宅内機器同士の各名称情報が同一であれば、ユーザが連動対応情報を再設定する必要はなく、宅内機器を同一機種の宅内機器に取り替える場合に、宅内機器を連動制御するための連動対応情報の再設定作業を簡略化できる。
【００１３】
請求項５の発明は、請求項１において、前記宅内機器に任意に割り付けられた機器情報は、当該宅内機器が管理する端末の情報であることを特徴とする。
【００１４】
この発明によれば、取り替える宅内機器同士の各管理する端末の情報が同一であれば、ユーザが連動対応情報を再設定する必要はなく、宅内機器を同一機種の宅内機器に取り替える場合に、宅内機器を連動制御するための連動対応情報の再設定作業を簡略化できる。
【発明の効果】
【００１５】
以上説明したように、本発明では、宅内機器を同一機種の宅内機器に取り替える場合に、宅内機器を連動制御するための連動対応情報の再設定作業を簡略化できるという効果がある。
【発明を実施するための最良の形態】
【００１６】
以下、本発明の実施の形態を図面に基づいて説明する。
【００１７】
（実施形態１）
本実施形態の宅内監視制御システムは、図２に示すように住宅内に敷設されたＬＡＮ（Local Area Network）からなる宅内ネットワークＮＴ１に、複数のネットワーク機器（宅内機器）１ｎ（ｎ＝１，２，３．．．）と、連動装置２と、ホームゲートウェイ３とが接続されており、宅内ネットワークＮＴ１は、ホームゲートウェイ３を介してインターネットＮＴ２に接続している。
【００１８】
そして、各ネットワーク機器１ｎは、配下である１乃至複数の端末４ｎ（４ｎａ，４ｎｂ，４ｎｃ，．．．）との間で通信可能に構成されて、配下の端末４ｎの監視制御を行う。図２では２つのネットワーク機器１１，１２のみを示しており、ネットワーク機器１１は、制御線Ｗ経由で配下の端末４１ａ，４１ｂを制御するネットリモコンであり、端末４１ａは寝室に設置された照明器具（以下、照明端末４１ａと称す）、端末４１ｂはリビングに設置されたエアコン器具（以下、エアコン端末４１ｂと称す）である。また、ネットワーク機器１２は、配下の端末４２ａ，４２ｂと無線で通信可能に構成され、端末４２ａ，４２ｂと宅内ネットワークＮＴ１とのインタフェース機能を有するネットアダプタであり、端末４２ａは庭に設置されて侵入者を検知する防犯センサ（以下、防犯センサ４２ａと称す）、端末４１ｂは玄関に設置された人感センサ（以下、人感センサ４２ｂと称す）である。
【００１９】
さらに、ホームゲートウェイ３が介在することで宅内ネットワークＮＴ１が外部ネットワークたるインターネットＮＴ２に接続されており、インターネットＮＴ２上の図示しない情報端末から、ネットワーク機器１ｎにアクセスして、ネットワーク機器１ｎ配下の端末４を監視制御することができる。なお、この種のホームゲートウェイ３は従来周知であるから詳細な構成についての図示並びに説明は省略する。
【００２０】
ネットワーク機器１ｎは、図１に示すように、宅内ネットワークＮＴ１を介したデータ授受を行うインタフェース機能を具備した上位送受信部１ａと、有線または無線で配下の端末４ｎとデータ授受を行うインタフェース機能を具備した下位送受信部１ｂと、上位送受信部１ａおよび下位送受信部１ｂを介してデータの送受信制御を行う制御部１ｃと、後述の機器固有識別子および機器情報を予め格納した情報記憶部１ｄとを備える。情報記憶部１ｄに予め格納されている機器固有識別子は、当該ネットワーク機器１ｎに固有に割り付けられたＭＡＣ（Media Access Control：媒体アクセス制御）アドレスであり、機器情報は、当該ネットワーク機器１ｎのＩＰアドレス、設置場所（場所情報）、機器名称（名称情報）、配下の端末情報（管理する端末の情報）である。本実施形態においてネットワーク機器１ｎに割り付けられるＩＰアドレスは、ユーザが任意に割り付け可能なプライベートＩＰアドレスであり、さらに設置場所、機器名称、配下の端末情報もユーザが任意に割り付け可能である。
【００２１】
端末４ｎは、図１に示すように、マイコンを主構成要素とする制御部４ａと、有線または無線でネットワーク機器１ｎとデータ授受を行うインタフェース機能を具備した送受信部４ｂと、端末毎の機能（例えば、照明機能、空調機能、センサ機能等）を有する機能部４ｃとを備える。
【００２２】
連動装置２は、図１に示すように、宅内ネットワークＮＴ１を介したデータ授受を行うインタフェース機能を具備した送受信部２ａと、後述するネットワーク機器情報テーブルＴＢ１を格納した情報記憶部２ｂと、後述する連動テーブルＴＢ２（連動対応情報）を格納した連動対応記憶部２ｃと、ネットワーク機器１ｎの連動制御を行う制御部２ｄとを備え、制御部２ｄは、連動制御部２ｅ、情報収集部２ｆ、機器検出部２ｇ、判断部２ｈ、更新部２ｉで構成される。そして、情報収集部２ｆは、送受信部２ａを介して、宅内ネットワークＮＴ１上の各ネットワーク機器１ｎに情報送信要求を定期的に送信し、情報送信要求を受け取ったネットワーク機器１ｎは、自己の情報記憶部１ｄに格納している機器固有識別子［ＭＡＣアドレス］、および機器情報［ＩＰアドレス、ネットワーク機器１ｎの設置場所、ネットワーク機器１ｎの機器名称、配下の端末情報］を連動装置２へ返信する。制御部２ｄは、各ネットワーク機器１ｎから受け取ったＭＡＣアドレス、およびＩＰアドレス、ネットワーク機器１ｎの設置場所、ネットワーク機器１ｎの機器名称、配下の端末情報の対応を示すネットワーク機器情報テーブルＴＢ１（図３参照）を、情報記憶部２ｂに格納する。
【００２３】
施工者またはユーザは、ネットワーク機器情報テーブルＴＢ１を参照して、連動制御の内容を、連動対応記憶部２ｃ内の連動テーブルＴＢ２（図４参照）に設定する。連動テーブルＴＢ２は、トリガ信号の送信元となるネットワーク機器１ｎのＭＡＣアドレスおよびＩＰアドレス、トリガ信号発生の要因となる配下の端末４ｎの情報および設置場所と、このトリガ信号による連動制御の対象となるネットワーク機器１ｎのＭＡＣアドレス、およびＩＰアドレス、ネットワーク機器１ｎによって制御される配下の端末４ｎの情報および設置場所と、連動制御の制御パターン（制御内容）とを互いに関連付けたものである。
【００２４】
そして、制御パターン「防犯制御」として、庭に設置された防犯センサ４２ａが侵入者を検知すると、ＭＡＣアドレス「００ｃ０８ｆ１２３４５６」、ＩＰアドレス「１９２．１６８．１．５」を割り付けられたネットワーク機器１２は、侵入者検知のトリガ信号を連動装置２へ送信する。侵入者検知のトリガ信号を受け取った連動装置２では、連動制御部２ｅが、連動テーブルＴＢ２を参照して、ＭＡＣアドレス「００ｃ０８ｆ０２０００１」、ＩＰアドレス「１９２．１６８．１．２」を割り付けられたネットワーク機器１１に対して、寝室に設置された照明端末４１ａを点灯させる制御信号を送信する。当該制御信号を受け取ったネットワーク機器１１では、制御部１ｃが、情報記憶部１ｄに格納している配下の端末情報を参照して、照明端末４１ａを点灯制御する。したがって、深夜の侵入者を検知した場合には、寝室の照明を点灯させることで、家人に警報報知を行う連動制御が可能となる。なお、連動装置２とネットワーク機器１ｎとの通信は、ＩＰアドレスを用いて行われる。
【００２５】
また、連動制御部２ｅは、制御パターン「帰宅制御」として、玄関に設置された人感センサ４２ｂが玄関周りでの人の存在を検知すると、ネットワーク機器１２は、帰宅検知のトリガ信号を連動装置２へ送信する。帰宅検知のトリガ信号を受け取った連動装置２では、連動制御部２ｅが、連動テーブルＴＢ２を参照し、ネットワーク機器１１に対して、リビングに設置されたエアコン端末４１ｂを運転させる制御信号を送信する。当該制御信号を受け取ったネットワーク機器１１では、制御部１ｃが、情報記憶部１ｄに格納している配下の端末情報を参照して、エアコン端末４１ｂを運転制御する。したがって、家人の帰宅を検知した場合には、リビングのエアコンを運転させることで、帰宅時の空調を快適にする連動制御が可能となる。
【００２６】
そして、端末４ｎの上位に接続されたネットワーク機器１ｎの取り替えが行われた場合、従来は、ユーザが連動テーブルＴＢ２を再設定する必要があった。しかしながら、本実施形態では、連動装置２の情報収集部２ｆが、各ネットワーク機器１ｎから、機器固有識別子［ＭＡＣアドレス］、および機器情報［ＩＰアドレス、ネットワーク機器１ｎの設置場所、ネットワーク機器１ｎの機器名称、配下の端末情報］を定期的に収集するとともに、ネットワーク機器１ｎは、宅内ネットワークＮＴ１への接続時に、自己の機器固有識別子［ＭＡＣアドレス］、および機器情報［ＩＰアドレス、ネットワーク機器１ｎの設置場所、ネットワーク機器１ｎの機器名称、配下の端末情報］を、連動装置２の情報収集部２ｆへ送信する。なお、情報収集部２ｆが、ネットワーク機器１ｎの機器固有識別子および機器情報を収集する形態は、ネットワーク機器１ｎへ情報送信要求を定期的に送信することで、ネットワーク機器１ｎから機器固有識別子および機器情報を返信させる形態や、ネットワーク機器１ｎが定期的に機器固有識別子および機器情報を自発送信する形態のいずれでもよい。
【００２７】
このようにして収集されたネットワーク機器１ｎの機器固有識別子および機器情報は、連動装置２において情報記憶部２ｂ内の機器情報テーブルＴＢ１に格納され、機器検出部２ｇは、機器情報テーブルＴＢ１を参照して、新しいＭＡＣアドレスが追加されておれば、ネットワーク機器１ｎの追加を認識し、あるＭＡＣアドレスに対応する機器固有識別子および機器情報の送信が所定期間ない場合は、当該ＭＡＣアドレスを有するネットワーク機器１ｎの削除を認識する。
【００２８】
そして、連動装置２の判断部２ｈは、ネットワーク機器１ｎの追加と削除との両方があった場合、機器情報テーブルＴＢ１を参照して、追加されたネットワーク機器１ｎと削除されたネットワーク機器１ｎとの各ＩＰアドレスを比較し、同一のＩＰアドレスであれば、削除されたネットワーク機器１ｎは追加されたネットワーク機器１ｎに取り替えられたと判断する。本実施形態においてネットワーク機器１ｎに割り付けられるＩＰアドレスは、ユーザが任意に割り付け可能なプライベートＩＰアドレスであり、ユーザは、同一機種のネットワーク機器１ｎ同士を取り替える場合、新たに追加するネットワーク機器１ｎに、削除するネットワーク機器１ｎと同一のＩＰアドレスを設定して、ネットワーク機器１ｎの交換を行っている。
【００２９】
判断部２ｈがネットワーク機器１ｎの取り替えが行われたと判断した場合、更新部２ｉは、連動対応記憶部２ｃ内の連動テーブルＴＢ２において、削除されたネットワーク機器１ｎに対応するＭＡＣアドレスを、追加されたネットワーク機器１ｎに対応するＭＡＣアドレスに変更し、連動テーブルＴＢ２を更新する。以降、連動制御部２ｅは、更新された連動テーブルＴＢ２を参照して連動制御を継続する。例えば、ネットワーク機器１１［ＭＡＣアドレス「００ｃ０８ｆ０２０００１」］を削除して、新たなネットワーク機器１１［ＭＡＣアドレス「００ｃ０８ｆ０２０００２」］を追加した場合、更新部２ｉは、互いのＩＰアドレスが同一に設定されておれば、連動テーブルＴＢ２において、ネットワーク機器１１に対応するＭＡＣアドレスを、「００ｃ０８ｆ０２０００１」から「００ｃ０８ｆ０２０００２」に変更する。
【００３０】
したがって、取り替えるネットワーク機器１ｎ同士の各機器情報に含まれるＩＰアドレスが同一であれば、ユーザが連動テーブルＴＢ２を再設定する必要はなく、ネットワーク機器１ｎを同一機種のネットワーク機器１ｎに取り替える場合に、ネットワーク機器１ｎを連動制御するための連動テーブルＴＢ２の再設定作業を簡略化できる。
【００３１】
また、ネットワーク機器１ｎの追加と削除との両方があった場合に、連動装置２の判断部２ｈが、機器情報テーブルＴＢ１を参照して、追加されたネットワーク機器１ｎと削除されたネットワーク機器１ｎとの各ＩＰアドレスを比較し、同一のＩＰアドレスでなければ、連動テーブルＴＢ２において、削除されたネットワーク機器１ｎのＭＡＣアドレスが関連する連動制御は無効とする。
【００３２】
（実施形態２）
本実施形態の連動システムは、図１〜図４の構成を備えており、実施形態１と同様の構成には同一の符号を付して説明は省略する。
【００３３】
まず、本実施形態では、ネットワーク機器１のＩＰアドレスは、ＤＨＣＰ（Dynamic Host Configuration Protocol）サーバ等によって自動的に割り当てられており、この場合、ネットワーク機器１ｎの取り替え時には、同一機種同士の交換であってもＭＡＣアドレスとともにＩＰアドレスも変更されてしまう。
【００３４】
そこで、連動装置２の判断部２ｈは、ネットワーク機器１ｎの追加と削除との両方があった場合、機器情報テーブルＴＢ１を参照して、追加されたネットワーク機器１ｎと削除されたネットワーク機器１ｎとの各設置場所を比較し、同一の設置場所であれば、削除されたネットワーク機器１ｎは追加されたネットワーク機器１ｎに取り替えられたと判断する。
【００３５】
判断部２ｈがネットワーク機器１ｎの取り替えが行われたと判断した場合、更新部２ｉは、連動対応記憶部２ｃ内の連動テーブルＴＢ２において、削除されたネットワーク機器１ｎに対応するＭＡＣアドレスおよびＩＰアドレスを、追加されたネットワーク機器１ｎに対応するＭＡＣアドレスおよびＩＰアドレスに変更し、連動テーブルＴＢ２を更新する。以降、連動制御部２ｅは、更新された連動テーブルＴＢ２を参照して連動制御を継続する。例えば、ネットワーク機器１１［ＭＡＣアドレス「００ｃ０８ｆ０２０００１」、ＩＰアドレス「１９２．１６８．１．２」］を削除して、新たなネットワーク機器１１［ＭＡＣアドレス「００ｃ０８ｆ０２０００２」、ＩＰアドレス「１９２．１６８．１．１０」］を追加した場合、更新部２ｉは、互いの設置場所が同一に設定されておれば、連動テーブルＴＢ２において、ネットワーク機器１１に対応するＭＡＣアドレスを、「００ｃ０８ｆ０２０００１」から「００ｃ０８ｆ０２０００２」に変更し、さらにネットワーク機器１１に対応するＩＰアドレスを、「１９２．１６８．１．２」から「１９２．１６８．１．１０」に変更する。
【００３６】
したがって、取り替えるネットワーク機器１ｎ同士の各機器情報に含まれる場所情報が同一であれば、ユーザが連動テーブルＴＢ２を再設定する必要はなく、ネットワーク機器１ｎを同一機種のネットワーク機器１ｎに取り替える場合に、ネットワーク機器１ｎを連動制御するための連動テーブルＴＢ２の再設定作業を簡略化できる。
【００３７】
また、ネットワーク機器１ｎの追加と削除との両方があった場合に、連動装置２の判断部２ｈが、機器情報テーブルＴＢ１を参照して、追加されたネットワーク機器１ｎと削除されたネットワーク機器１ｎとの各設置場所を比較し、同一の設置場所でなければ、連動テーブルＴＢ２において、削除されたネットワーク機器１ｎのＭＡＣアドレスが関連する連動制御は無効とする。
【００３８】
（実施形態３）
本実施形態の連動システムは、図１〜図４の構成を備えており、実施形態１と同様の構成には同一の符号を付して説明は省略する。
【００３９】
まず、本実施形態では、ネットワーク機器１のＩＰアドレスは、ＤＨＣＰサーバ等によって自動的に割り当てられており、さらにネットワーク機器１ｎの取り替え時には、同一機種のネットワーク機器１ｎであっても設置場所を変更して、機器情報に含まれる場所情報を変更する場合があり、この場合、ネットワーク機器１ｎの取り替え時には、同一機種同士の交換であってもＭＡＣアドレスとともにＩＰアドレスおよび場所情報も変更されてしまう。
【００４０】
そこで、連動装置２の判断部２ｈは、ネットワーク機器１ｎの追加と削除との両方があった場合、機器情報テーブルＴＢ１を参照して、追加されたネットワーク機器１ｎと削除されたネットワーク機器１ｎとの各機器名称を比較し、同一の機器名称であれば、削除されたネットワーク機器１ｎは追加されたネットワーク機器１ｎに取り替えられたと判断する。
【００４１】
判断部２ｈがネットワーク機器１ｎの取り替えが行われたと判断した場合、更新部２ｉは、連動対応記憶部２ｃ内の連動テーブルＴＢ２において、削除されたネットワーク機器１ｎに対応するＭＡＣアドレス、ＩＰアドレスを、追加されたネットワーク機器１ｎに対応するＭＡＣアドレス、ＩＰアドレスに変更し、連動テーブルＴＢ２を更新する。以降、連動制御部２ｅは、更新された連動テーブルＴＢ２を参照して連動制御を継続する。例えば、ネットワーク機器１１［ＭＡＣアドレス「００ｃ０８ｆ０２０００１」、ＩＰアドレス「１９２．１６８．１．２」、設置場所「寝室」］を削除して、新たなネットワーク機器１１［ＭＡＣアドレス「００ｃ０８ｆ０２０００２」、ＩＰアドレス「１９２．１６８．１．１０」、設置場所「リビング」］を追加した場合、更新部２ｉは、互いの機器名称が同一に設定されておれば、連動テーブルＴＢ２において、ネットワーク機器１１に対応するＭＡＣアドレスを、「００ｃ０８ｆ０２０００１」から「００ｃ０８ｆ０２０００２」に変更し、ネットワーク機器１１に対応するＩＰアドレスを、「１９２．１６８．１．２」から「１９２．１６８．１．１０」に変更する。
【００４２】
したがって、取り替えるネットワーク機器１ｎ同士の各機器情報に含まれる機器名称が同一であれば、ユーザが連動テーブルＴＢ２を再設定する必要はなく、ネットワーク機器１ｎを同一機種のネットワーク機器１ｎに取り替える場合に、ネットワーク機器１ｎを連動制御するための連動テーブルＴＢ２の再設定作業を簡略化できる。
【００４３】
また、ネットワーク機器１ｎの追加と削除との両方があった場合に、連動装置２の判断部２ｈが、機器情報テーブルＴＢ１を参照して、追加されたネットワーク機器１ｎと削除されたネットワーク機器１ｎとの各機器名称を比較し、同一の機器名称でなければ、連動テーブルＴＢ２において、削除されたネットワーク機器１ｎのＭＡＣアドレスが関連する連動制御は無効とする。
【００４４】
（実施形態４）
本実施形態の連動システムは、図１〜図４の構成を備えており、実施形態１と同様の構成には同一の符号を付して説明は省略する。
【００４５】
まず、本実施形態では、ネットワーク機器１のＩＰアドレスは、ＤＨＣＰサーバ等によって自動的に割り当てられており、さらにネットワーク機器１ｎの取り替え時には、同一機種のネットワーク機器１ｎであっても設置場所および機器名称を変更して、機器情報に含まれる場所情報および名称情報を変更する場合があり、この場合、ネットワーク機器１ｎの取り替え時には、同一機種同士の交換であってもＭＡＣアドレスとともにＩＰアドレスおよび場所情報および名称情報も変更されてしまう。
【００４６】
そこで、連動装置２の判断部２ｈは、ネットワーク機器１ｎの追加と削除との両方があった場合、機器情報テーブルＴＢ１を参照して、追加されたネットワーク機器１ｎと削除されたネットワーク機器１ｎとの各配下の端末情報を比較し、同一の配下の端末情報であれば、削除されたネットワーク機器１ｎは追加されたネットワーク機器１ｎに取り替えられたと判断する。
【００４７】
判断部２ｈがネットワーク機器１ｎの取り替えが行われたと判断した場合、更新部２ｉは、連動対応記憶部２ｃ内の連動テーブルＴＢ２において、削除されたネットワーク機器１ｎに対応するＭＡＣアドレス、ＩＰアドレスを、追加されたネットワーク機器１ｎに対応するＭＡＣアドレス、ＩＰアドレスに変更し、連動テーブルＴＢ２を更新する。以降、連動制御部２ｅは、更新された連動テーブルＴＢ２を参照して連動制御を継続する。例えば、ネットワーク機器１１［ＭＡＣアドレス「００ｃ０８ｆ０２０００１」、ＩＰアドレス「１９２．１６８．１．２」、設置場所「寝室」、機器名称「ネットワーク機器１１」］を削除して、新たなネットワーク機器１１［ＭＡＣアドレス「００ｃ０８ｆ０２０００２」、ＩＰアドレス「１９２．１６８．１．１０」、設置場所「リビング」、機器名称「ネットワーク機器１１’」］を追加した場合、更新部２ｉは、互いの配下の端末情報が同一に設定されておれば、連動テーブルＴＢ２において、ネットワーク機器１１に対応するＭＡＣアドレスを、「００ｃ０８ｆ０２０００１」から「００ｃ０８ｆ０２０００２」に変更し、ネットワーク機器１１に対応するＩＰアドレスを、「１９２．１６８．１．２」から「１９２．１６８．１．１０」に変更する。
【００４８】
したがって、取り替えるネットワーク機器１ｎ同士の各機器情報に含まれる配下の端末情報が同一であれば、ユーザが連動テーブルＴＢ２を再設定する必要はなく、ネットワーク機器１ｎを同一機種のネットワーク機器１ｎに取り替える場合に、ネットワーク機器１ｎを連動制御するための連動テーブルＴＢ２の再設定作業を簡略化できる。
【００４９】
また、ネットワーク機器１ｎの追加と削除との両方があった場合に、連動装置２の判断部２ｈが、機器情報テーブルＴＢ１を参照して、追加されたネットワーク機器１ｎと削除されたネットワーク機器１ｎとの各配下の端末情報を比較し、同一の配下の端末情報でなければ、連動テーブルＴＢ２において、削除されたネットワーク機器１ｎのＭＡＣアドレスが関連する連動制御は無効とする。
【００５０】
さらに、図３に示す機器情報テーブルＴＢ１では、配下の端末情報として端末の名称を用いているが、端末の数や、端末の機能（照明機能、空調機能、センサ機能等）を配下の端末情報に設定してもよく、端末が計測器の場合は計測単位を配下の端末情報に設定してもよい。また、追加されたネットワーク機器１ｎと削除されたネットワーク機器１ｎとの各配下の端末情報を比較する際に、配下の端末情報が複数設定されている場合には、一部の情報が一致する場合でも、削除されたネットワーク機器１ｎは追加されたネットワーク機器１ｎに取り替えられたと判断してもよい。
【図面の簡単な説明】
【００５１】
【図１】実施形態の連動システムのブロック構成を示す図である。
【図２】同上のシステムの全体構成を示す図である。
【図３】同上のネットワーク機器情報テーブルの構造を示す図である。
【図４】同上の連動テーブルの構造を示す図である。
【符号の説明】
【００５２】
１ｎ  ネットワーク機器
２  連動装置
２ｂ  情報記憶部
２ｃ  連動対応記憶部
２ｄ  制御部
２ｅ  連動制御部
２ｆ  情報収集部
２ｇ  機器検出部
２ｈ  判断部
２ｉ  更新部
４ｎ  端末
ＮＴ１  宅内ネットワーク
【図１】
2009282779.tif 000003
【図２】
2009282779.tif 000004
【図３】
2009282779.tif 000005
【図４】
2009282779.tif 000006